(57)【要約】      （修正有）【課題】コントロールケーブルに伝達された振動を吸収することができ、かつブラケットとプロテクターとの間の隙間に入り込んだ異物によるプロテクターの損傷を防ぐことができるコントロールケーブルの支持部材および該支持部材を含むコントロールケーブル装置を提供する。【解決手段】ブラケット６と、アウターケーシング４を挿通するプロテクター７とを備えた、コントロールケーブルの支持部材であって、ブラケット６は、車体への固定部８と、プロテクター７を挿通する挿通部９とを有し、プロテクター７は、ブラケット６の挿通部９の内面との間に所定の空間を形成し、所定の空間を保持するように、半径方向外側へ突出する突部１３を有し、突部は弾性材料から成る。【選択図】図２
2013249903.tif 000002
【特許請求の範囲】
【請求項１】
ブラケットと、アウターケーシングを挿通するプロテクターとを備えた、コントロールケーブルの支持部材であって、
前記ブラケットは、車体への固定部と、前記プロテクターを挿通する挿通部とを有し、
前記プロテクターは、前記ブラケットの前記挿通部の内面との間に所定の空間を形成し、前記所定の空間を保持するように、半径方向外側へ突出する突部を有し、
前記突部は弾性材料から成ることを特徴とする
コントロールケーブルの支持部材。
【請求項２】
前記突部は、前記挿通部の軸方向へ延びる突条であることを特徴とする請求項１記載のコントロールケーブルの支持部材。
【請求項３】
請求項１または２に記載のコントロールケーブルの支持部材を含むコントロールケーブル装置。
【発明の詳細な説明】
【技術分野】
【０００１】
本発明は、コントロールケーブルの支持部材および該支持部材を含むコントロールケーブル装置に関し、さらに詳しくは、車両において動力を伝達するためのコントロールケーブルの支持部材および該支持部材を含むコントロールケーブル装置に関する。
【背景技術】
【０００２】
操作部材の操作を従動部材へ伝達するコントロールケーブルは、中間部分が他の部材と干渉したり、操作部材の操作時に中間部分の配索経路が変わってコントロールケーブルの性能が変わることを防ぐために、支持部材を用いて中間部分を車体へ支持させている。
【０００３】
従動部材が振動を発する場合は、振動がコントロールケーブルを介して車体に伝達されないように、コントロールケーブルで振動を吸収させることが好ましく、このような振動を吸収する支持部材を備えたコントロールケーブルとして、特許文献１に示すように、プロテクターの内周面に突部を設けたものが知られている。
【先行技術文献】
【特許文献】
【０００４】
【特許文献１】実開昭５８−１６２３１６号公報
【発明の概要】
【発明が解決しようとする課題】
【０００５】
しかし、プロテクターの内周面に設けた突部で振動を吸収させようとすると、突部の高さを高くしなくてはならないが、突部の高さを高くすると、プロテクターの軸に対してコントロールケーブルの軸が傾いたときに、突部が撓み易く、コントロールケーブルの軸の傾きを許容してしまう。これにより、ブラケットとプロテクターとの間にできた隙間へ小石などの異物が入り込み、異物によってプロテクターが損傷してしまうおそれがある。
【０００６】
本発明は、上記のような課題に鑑みてなされたものであって、コントロールケーブルに伝達された振動を吸収することができ、かつブラケットとプロテクターとの間の隙間に入り込んだ異物によるプロテクターの損傷を防ぐことができるコントロールケーブルの支持部材および該支持部材を含むコントロールケーブル装置を提供することを目的とする。
【課題を解決するための手段】
【０００７】
上記目的を達成するために、本発明のコントロールケーブルの支持部材は、ブラケットと、アウターケーシングを挿通するプロテクターとを備えた、コントロールケーブルの支持部材であって、前記ブラケットは、車体への固定部と、前記プロテクターを挿通する挿通部とを有し、前記プロテクターは、前記ブラケットの前記挿通部の内面との間に所定の空間を形成し、前記所定の空間を保持するように、半径方向外側へ突出する突部を有し、前記突部は弾性材料から成ることを特徴としている。
【発明の効果】
【０００８】
（１）本発明のコントロールケーブルの支持部材によれば、プロテクターとブラケットの挿通部の内面との間に形成された所定の空間により、コントロールケーブルに伝達された振動を吸収することができ、また、空間を保持するので、ブラケットとプロテクターとの間の隙間に入り込んだ異物によるプロテクターの損傷を防ぐことができる。
【０００９】
（２）本発明のコントロールケーブルの支持部材によれば、突部が挿通部の軸方向へ延びる突条であるので、挿通部の軸に対してアウターケーシングの軸が傾いたときに突部に加わる荷重を支持して、空間を保持させることができ、空間に入り込んだ異物によるプロテクターの損傷を一層防ぐことができる。
【００１０】
（３）本発明のコントロールケーブル装置によれば、該コントロールケーブル装置が上記（１）または（２）のいずれかのコントロールケーブルの支持部材を含んでいることにより、コントロールケーブルに伝達された振動を吸収することができ、また、プロテクターとブラケットの挿通部の内面との間に形成された所定の空間を保持するので、ブラケットとプロテクターとの間の隙間に入り込んだ異物によるプロテクターの損傷を防ぐことができる。
【図面の簡単な説明】
【００１１】
【図１】本発明に係るコントロールケーブルの支持部材２および該支持部材２を含むコントロールケーブル装置１の一実施形態を示す概略外観図である。
【図２】図１のコントロールケーブル装置１をＡ−Ａ切断線により切断した場合の断面図である。
【図３】図１のコントロールケーブル装置１をＢ−Ｂ切断線により切断した場合の断面図である。
【図４】プロテクター７の一例を示す概略外観図である。
【図５】図４のプロテクター７をＣ−Ｃ切断線により切断した場合の断面図である。
【図６】図４のプロテクター７をＤ−Ｄ切断線により切断した場合の断面図であり、プロテクター７がブラケット６の挿通部９に保持された状態における挿通部９の概略内縁形状を一点鎖線で併せて示すものである。
【発明を実施するための形態】
【００１２】
以下、図面を参照しつつ、本発明の実施の形態のコントロールケーブルの支持部材２および該支持部材２を含むコントロールケーブル装置１について説明する。本発明のコントロールケーブル装置１は、例えば、自動車などの車両のトランスミッションにシフトレバーの操作を伝達し、車両の変速操作を行うために用いられるものである。コントロールケーブル装置１は、図１に示すように、不図示のトランスミッションとシフトレバーとを連結することによってトランスミッションにシフトレバーの操作を伝達するコントロールケーブル３と、コントロールケーブル３を内挿して支持するコントロールケーブルの支持部材２とを含んでいる。
【００１３】
コントロールケーブル３は、図２および図３に示すように、細長い円筒状のアウターケーシング４と、アウターケーシング４に摺動自在に内挿されるインナーケーブル５とを有している。インナーケーブル５は、両端が不図示のトランスミッションおよびシフトレバーにそれぞれ連結されている。
【００１４】
コントロールケーブル３の配索経路上には、車体に固定した、コントロールケーブルの支持部材２を設けており、コントロールケーブルの支持部材２がコントロールケーブル３を支持することにより、コントロールケーブル３が車体に支持されるように構成している。
【００１５】
コントロールケーブルの支持部材２は、コントロールケーブル３を車体に固定するためのブラケット６と、アウターケーシング４を挿通するプロテクター７とを備えている。
【００１６】
ブラケット６は、車体への固定部８と、プロテクター７を挿通する挿通部９とを有している。ブラケット６は、例えば、金属製の長手平板状部材の一端を湾曲させてプロテクター７を挿通可能な略環状の挿通部９を形成するとともに、他端にボルト孔１０を穿って固定部８を形成したものである。そして、挿通部９にプロテクター７を挿通して、挿通部９が内部にプロテクター７を保持している状態において、ブラケット６は、固定部８と車体とが不図示のボルトおよびナットで連結されることによって車体に固定される。
【００１７】
プロテクター７は、アウターケーシング４の中間部分の一部を被覆可能な略円筒状の形状を有し、内径が、アウターケーシング４の外径に略等しいか、またはアウターケーシング４の外径よりも僅かに大きくなるように形成されている。また、プロテクター７は、図３〜図５に示すように、外周面から環状に張り出して形成された一対の環状壁部１１ａ，１１ｂを有し、環状壁部１１ａ，１１ｂ間の距離は挿通部９の幅よりも僅かに長くなるように形成されており、挿通部９にプロテクター７を挿通した状態において、挿通部９を環状壁部１１ａ，１１ｂ間に挟み込むことができる。
【００１８】
また、プロテクター７は、図６に示すように、ブラケット６の挿通部９の内面１５との間に所定の空間１２を形成するように、半径方向外側へ突出する突部１３を有している。つまり、プロテクター７は、半径方向外側へ突出する突部１３が外面１４に設けられており、プロテクター７がブラケット６の挿通部９に保持された状態において、プロテクター７の外面１４とブラケット６の挿通部９の内面１５との間に所定の空間１２が形成されるように構成されている。このため、プロテクター７の外面１４に突部１３が設けられていない場合と比べて、プロテクター７の外面１４とブラケット６の挿通部９の内面１５との接触面積が減少するため、プロテクター７からブラケット６に伝達される振動を軽減させることができ、プロテクター７においてコントロールケーブル３に伝達された振動を吸収することができる。
【００１９】
突部１３は、弾性材料から成る。このため、突部１３は、プロテクター７からブラケット６に伝達される振動をさらに軽減させることができ、プロテクター７においてコントロールケーブル３に伝達された振動を一層吸収することができる。プロテクター７は、エチレン−プロピレン−ジエンゴム（ＥＰＤＭ）などから形成することができる。
【００２０】
さらに、プロテクター７は、外面１４とブラケット６の挿通部９の内面１５との間に形成された所定の空間１２を保持するように突部１３を有している。特に、プロテクター７は、プロテクター７がブラケット６の挿通部９に保持された状態において、挿通部９の軸に対してアウターケーシング４の軸が傾こうとしても、その傾きを抑制し、所定の空間１２の形状を保持するように突部１３を有している。所定の空間を保持するとは、アウターケーシング４の軸が傾こうとしてプロテクター７に外力が加わっても、プロテクター７の外面１４とブラケット６の挿通部９の内面１５とが接触しないことである。このような構成により、プロテクター７が、空間１２を保持するように突部１３を有しているため、空間１２へ小石などの異物が入り込んだ場合であっても、当該異物がプロテクター７の外面とブラケット６の内面１５との間で挟まれることによるプロテクター７の損傷を防ぐことができる。
【００２１】
具体的には、プロテクター７の突部１3が、図３および図４に示すように、挿通部９の軸方向へ延びる突条である。つまり、突部１３は、プロテクター７の外面１４から半径方向外側へ突出するとともに、プロテクター７がブラケット６の挿通部９に保持された状態において挿通部９の軸方向へ延びている突条である。このような構成により、プロテクター７がブラケット６の挿通部９に保持された状態において、挿通部９の軸に対してアウターケーシング４の軸が傾こうとして、突部１３が挿通部９の内面１５に押圧されたとしても、突部１３が挿通部９の軸方向へ延びているため、突部１３が挿通部９の軸方向に傾倒することを抑制することができる。このため、突部１３がプロテクター７に加わる荷重を支持して、空間１２の形状を保持することができ、空間１２に入り込んだ異物によるプロテクター７の損傷を一層防ぐことができる。また、アウターケーシング４の軸が傾くことを抑制するので、コントロールケーブルの配索経路が安定し、コントロールケーブルの性能が損なわれない。
【００２２】
突部１３は、挿通部９の軸に対してアウターケーシング４の軸が傾いたときに空間１２を保持可能なものであれば良い。従って、突部１３が挿通部９の軸方向へ延びる突条であるという構成には、例えば、突部１３が挿通部９の軸方向に略平行な方向へ延びる突条であるという態様だけでなく、突部１３が挿通部９の軸回りに螺旋状に延びる突条であるという態様なども含まれる。
【００２３】
また、挿通部９の軸に対してアウターケーシング４の軸が傾いたときに、突部１３が挿通部９の軸方向に傾倒することを抑制するという観点から、突部１３は、環状壁部１１ａ，１１ｂのいずれか一方の内側から他方の内側まで挿通部９の軸方向へ連続して延びる突条であることが望ましいが、突部１３が挿通部９の軸方向に傾倒し難いものであれば、挿通部９の軸方向において不連続に形成された複数の突起であっても良い。
【００２４】
なお、突部１３は、図６に示すように、プロテクター７の外面１４上において周方向に略等間隔に６つ設けられているが、空間１２を保持可能なものであれば、突部１３の数および配置がこのような構成に限定されるものでないことはいうまでもない。
【００２５】
また、プロテクター７は、図５に示すように、プロテクター７の内面１６上において半径方向内側へ突出し、周方向に延びるとともに、弾性材料から成る環状突部１７を有していても良い。これにより、プロテクター７の内面１６上に環状突部１７が設けられていない場合と比べて、プロテクター７の内面１６とアウターケーシング４の外面との接触面積が減少するため、コントロールケーブル３からプロテクター７に伝達される振動を軽減させることができ、プロテクター７においてコントロールケーブル３に伝達された振動を吸収することができる。
【００２６】
なお、本発明の実施の形態は上述の形態に限るものではなく、本発明の思想の範囲を逸脱しない範囲で適宜変更することができる。
【産業上の利用可能性】
【００２７】
本発明に係るコントロールケーブルの支持部材２および該支持部材２を含むコントロールケーブル装置１は、車両において動力を伝達するために用いることができる。
【符号の説明】
【００２８】
１          コントロールケーブル装置
２          コントロールケーブルの支持部材
６          ブラケット
７          プロテクター
８          固定部
９          挿通部
１３        突部
【図１】
2013249903.tif 000003
【図２】
2013249903.tif 000004
【図３】
2013249903.tif 000005
【図４】
2013249903.tif 000006
【図５】
2013249903.tif 000007
【図６】
2013249903.tif 000008